(57)【特許請求の範囲】
【請求項１】
コンクリート基礎を形成するための型枠の内側に配置されるシートを、前記型枠に押圧するためのシート押え具であって、
前記型枠の上縁上に配置される基部と、この基部の一端に弾力的に連続して前記シート上に延在することになる押え部と、前記基部の他端に弾力的に連続して前記型枠の外面に延在することになる係止部とからなり、
当該シート押え具の不使用時において、前記係止部が、前記基部の長手方向に直交する方向からみて、前記押え部と交差するとともに、
当該シート押え具の、前記押え部を前記型枠に差し込む使用時において、前記押え部と係止部とが、前記型枠及びシートを挟み込み、かつ、前記型枠の外面からみて、互いに交差するようにしたことを特徴とするシート押え具。
【請求項２】
全体を、剛性のある１本の長尺材を折曲することにより形成したことを特徴とする請求項１に記載のシート押え具。
【請求項３】
前記押え部及び係止部の基部に対する各折曲角度を、９０度より小さくしたことを特徴とする請求項１または２に記載のシート押え具。
【発明の詳細な説明】
【技術分野】
【０００１】
本発明は、型枠にシートを押圧するシート押え具に関し、特に、シートがコンクリート構造物の表面に模様を付すためのものの場合に適したシート押え具に関するものである。
【背景技術】
【０００２】
コンクリート構造物は、施工現場に組み立てた型枠間に生コンクリートを流し込んで形成されるものであるから、所謂「打ち放し」のコンクリート構造物の表面には、型枠の内面の形状が転写される。ところが、近年の、例えば、家屋の基礎等においては、その人目に付く表面について、単なる「打ち放し」で済ませるのではなく、種々な模様を付すことがなされるようになってきている。
【０００３】
このように、コンクリート構造物の表面に、種々な模様を付す方法としては、特許文献１に提案されているような、表面を凹凸模様とした軽量コンクリートに固定連結部材を設けた「化粧用残存コンクリート型枠」（所謂残存型枠）や、特許文献２に提案されているような、多数の突起体を形成固定した凹凸模様付パネル（シート）を、コンクリート成形用型枠の内面の少なくとも一部に配置して、凹凸模様付パネル（シート）の模様が転写されたコンクリート構造物を製造する方法（所謂模様賦形方法）がある。
【０００４】
これらの特許文献１及び２にて提案された技術は、それぞれメリットを有するものであるが、これらの技術を改善するものとして、特許文献３の「基礎型枠用表面装飾部材」及び特許文献４の「模様付け機能を備えたコンクリート型枠装置」も提案されている。
【先行技術文献】
【特許文献】
【０００５】
【特許文献１】特開２００２−０１３２３２号公報
【特許文献２】特開２００１−２２５３０６号公報
【特許文献３】特開２００３−２０６６２８号公報
【特許文献４】特許第３５５９５３９号掲載公報
【発明の概要】
【発明が解決しようとする課題】
【０００６】
特許文献３の「基礎型枠用表面装飾部材」は、「基礎型枠間に打設される基礎コンクリートのコンクリート面の美感を高めることができる基礎型枠用表面装飾部材を提供する」ことを目的としてなされたもので、図６及び図７に示すように、「表面装飾部材１０は、金属製あるいは樹脂製の薄板製で、その表面側が凹凸の模様１１ａを有する装飾面１１になっており、その裏面側が取付面１２になっている。取付面には、固定手段であるボルト１３が立設されている。基礎型枠２０の成形板２１の表面側にて、表面装飾部材の取付面が重ね合わされて、成形板に設けた取付孔２１ａに、取付面に立設されたボルトを挿入する。成形板に取付面が密着した状態でボルトにナット１４を螺着させることにより、表面装飾部材が基礎型枠に取外し可能に固定される。ベースＧ上に垂直に立設された対向する２組の基礎型枠２０間にコンクリートが打設される。」ようにしたものである。これにより、この特許文献３の「基礎型枠用表面装飾部材」は、基礎３１のコンクリート表面３１ａに、装飾面の模様に対応する凹凸模様３２を形成できるものと考えられる。
【０００７】
しかしながら、この特許文献３の「基礎型枠用表面装飾部材」は、「ボルト１３」を取り付けるための「取付孔２１ａ」を「基礎型枠２０の成形板２１」に形成しなければならないため、この「基礎型枠２０」自体が「表面装飾部材１０」専用のものとなって、汎用性のないものとなる。
【０００８】
一方、特許文献４の「模様付け機能を備えたコンクリート型枠装置」は、「コンクリート型枠側に取付ける模様付けシートを緊張させる構成、緊張状態を固定する構成を簡素化し、結果として、コンクリート型枠装置の構成を簡素化し、施工性を大幅に高め、併せて、模様付けシートを緊張させ固定する際に模様面を損傷するのを回避し、模様付けシートの再利用を容易とする模様付け機能を備えたコンクリート型枠装置を提供すること」を課題とするものであり、図８〜図１０に示すように、「複数の型枠１…を連続させて構成したコンクリート型枠１Ａの内面に模様付けシート２を取付け、打設したコンクリート表面に凹凸模様３を模様付けシート２より転写するコンクリート型枠装置であって、コンクリート型枠１Ａは伸縮型枠４を備え、コンクリート型枠１Ａの内面に模様付けシート２を長さ方向に間隔を隔てて複数箇所において着脱自在に取付ける取付け手段５と、模様付けシート２が取付けられているコンクリート型枠１Ａの伸縮型枠４を伸張させてコンクリート型枠１Ａの長さを仕上がり寸法に調整するとともに模様付けシート２を緊張させる伸張手段６と、伸縮型枠４の伸張状態を維持する固定手段１２を備えた」ものである。
【０００９】
そして、この特許文献４の段落００２３には、上記取付け手段５に関して、「模様付けシート２に形成した突条７には上下全長にわたって押さえ材８が当てられ、押さえ材８の上下端部から延出した略Ｌ字状の抱持片９、９を型枠１及び伸縮型枠４の外面に抱持させることで、模様付けシート２を型枠１及び伸縮型枠４に取付けている。このように模様付けシート２を型枠１又は伸縮型枠４に取付ける構成を取付け手段５と総称し、その構成は変更することができる。」と記載されている。
【００１０】
すなわち、この特許文献４の「取付け手段５」は、図１０の（ｂ）から分かるように、「押さえ材８の上下端部から延出した略Ｌ字状の抱持片９、９」は、これを「型枠１及び伸縮型枠４の外面に抱持させる」ようにしなければならないものであるから、これらの「押さえ材８」や「抱持片９、９」は、多数の「型枠１」を設置する前に施工しなければならないものであり、上下一対必要になっているものである。しかも、これらの「押さえ材８」や「抱持片９、９」で下側に位置するものは、図１０の（ｂ）にも示されているように、後に打設された生コンクリート内に部分的に埋設されることがあるから、例えばコンクリート基礎が完成してからは外しにくいものとなる。
【００１１】
一般に、コンクリート構造物の表面に種々な模様を付すためのパネルやその固定具は、これを型枠に取り付けるに当たって、次のような条件を満たす必要がある。
（１）組立てられた型枠に簡単に施工（取り付け）できるものであること
（２）型枠は、模様を要しないコンクリート構造物をも形成できる汎用性を持たせたいから、これにパネル（シート）取付穴等のような加工部分は形成したくないこと
（３）コンクリート構造物の表面に種々な模様を付すためのシートには、図３の（ａ）に示すように、コンクリート構造物表面に模様を写す「賦形シート」と、図３の（ｂ）に示すように、コンクリート構造物表面に模様を直接付加する「残存シート」とがあり、これら両タイプのシートの固定が同一のもので行えるようにできること
（４）当該シートと型枠との間に生コンクリート（のノロ）が入らないようにできること
（５）シートの固定具（押え具）は、簡単に製造できて、再使用ができるものであること
（６）シートの固定具（押え具）は、コンクリート基礎内に残存せず、模様を傷つけないこと
（７）シートの固定具（押え具）は、シートの型枠に対する押圧力が十分であること
【００１２】
そこで、本発明者等は、コンクリート構造物に模様を賦形するシートを、型枠に押圧するシート押え具について、上記（１）〜（７）の条件を満たすことができるようにするにはどうしたらよいか、について種々検討を重ねてきた結果、本発明を完成したのである。
【００１３】
すなわち、本発明の目的とするところは、コンクリート構造物に模様を賦すためのシートを、生コンクリートの侵入を防止しながら型枠に押え付けることができて、取り付けや取り外し作業も容易に行え、しかも構造が簡単で容易に製造することのできるシート押え具を提供することにある。
【課題を解決するための手段】
【００１４】
以上の課題を解決するために、まず、請求項１に係る発明の採った手段は、後述する実施形態の説明中で使用する符号を付して説明すると、
「コンクリート基礎４０を形成するための型枠２０の内側に配置されるシート３０を、型枠２０に押圧するためのシート押え具１０であって、
型枠２０の上縁上に配置される基部１１と、この基部１１の一端に弾力的に連続してシート３０上に延在することになる押え部１２と、基部１１の他端に弾力的に連続して型枠２０の外面２２に延在することになる係止部１３とからなり、
当該シート押え具の不使用時において、係止部１３が、基部１１の長手方向に直交する方向からみて、押え部１２と交差するとともに、
当該シート押え具１０の、押え部１２を型枠２０に差し込む使用時において、押え部１２と係止部１３とが、型枠２０及びシート３０を挟み込み、かつ、型枠２０の外面からみて、互いに交差するようにしたことを特徴とするシート押え具１０」
である。
【００１５】
すなわち、このシート押え具１０は、図１及び図２に示すように、型枠２０の上縁上に配置される基部１１と、この基部１１の一端からシート３０上に延在する押え部１２と、基部１１の他端から型枠２０の外面２２に延在する係止部１３とからなっているものであり、基部１１の各端部から延在している押え部１２及び係止部１３が、基部１１の各端部に連続的になっていることから、これらの間のものに対して互いに押圧力を発揮するように、弾力的になっているものである。
【００１６】
特に、このシート押え具１０においては、図１の右側に図示したもの、及び図２の（ａ）〜（ｃ）に示すように、その不使用時において、係止部１３が、押え部１２を超えながら斜めに延在するとともに、押え部１２から所定寸法離れていることによって、押え部１２及び係止部１３は、基部１１に対して弾力的に連続したものとなっているのである。
【００１７】
このシート押え具１０によって、コンクリート基礎４０を形成するための型枠２０の内側に配置されるシート３０を、型枠２０に押圧するためには、図１の右側に図示したもののようにすればよい。すなわち、このシート押え具１０の不使用時においては、上述したように、係止部１３が、押え部１２を超えながら斜めに延在する、すなわち、係止部１３が、基部１１の長手方向に直交する方向からみて、押え部１２と交差するとともに、押え部１２から所定寸法離れているから、これら押え部１２及び係止部１３の先端部がそれぞれ手で持ち易く、かつ広げ易くなっている。
【００１８】
つまり、このシート押え具１０の使用時では、各押え部１２及び係止部１３を広げた状態で、図１の右側に図示したものでの仮想線のように、型枠２０とこれに単に当接させてあるシート３０の両側に差し込んで行くのである。そして、基部１１が、図１の左側に図示したもののように、型枠２０の上縁上になったとき、当該シート押え具１０の押え施工は完了するのである。このシート押え具１０による押え施工が完了した時点では、図１に図示した例では、押え部１２はシート３０を型枠２０の内面２１に押圧し、反対側の係止部１３は型枠２０の外面２２に係止されることになり、結果的に、これらの押え部１２及び係止部１３は、その基部１１に対する弾性力によってシート３０を型枠２０の内面２１に押圧することになるのである。なお、これらの押え部１２及び係止部１３は、以上の説明とは逆の位置、すなわち押え部１２が型枠２０の外面２２側にあって、係止部１３が型枠２０の内面２１側にあってもよい。
【００１９】
以上のようにして、各シート３０を複数のシート押え具１０を使用して型枠２０の内面２１側に押圧すれば、シート３０と型枠２０との間には、生コンクリートが侵入し得る隙間は殆ど形成されないから、図１に示した型枠２０と、これの図示左側に配置されている型枠２０（図示していない）との間に生コンクリートを打設しても、この生コンクリートがシート３０と型枠２０との間に流れ込むことはない。
【００２０】
また、打設されたばかりの生コンクリートには流圧が存在するから、この流圧によってシート３０は型枠２０にさらに押圧されることになる。従って、例えばシート３０の高さの半分程度まで生コンクリートを打設すれば、シート３０は、生コンクリートの流圧によって型枠２０に向けて押圧され、内側に倒れ込んだり、型枠２０との間に隙間を形成したりすることはない。換言すれば、この段階で、各シート押え具１０は、引き抜くことが容易にできるだけでなく、引き抜いてもシート３０の型枠２０に対する押圧力は、生コンクリートによる流圧によって代替されるのである。
【００２１】
さて、各シート押え具１０を引き抜いた後には、生コンクリートの流圧によって各シート押え具１０が存在していた箇所に生コンクリートが流れ込むし、各シート押え具１０はコンクリート基礎４０となる部分に全く存在していないのであるから、コンクリート基礎４０に形成されるべき模様４１には何らの影響もないことになる。なお、各シート押え具１０を引き抜いた後にも、コンクリート基礎４０となるのに十分な量の生コンクリートをさらに打設することは言うまでもない。
【００２２】
また、各シート押え具１０は、差し込まれた際にも、引き抜かれた際にも、何らの損傷も変形も受けないから、引き抜かれた後には、その保存されていた弾性力によって、再び原形状に復帰する。つまり、このシート押え具１０は、使用後においても何らの変化もないのであるから、別の施工場所で再び使用することができる状態が維持されたままとなっており、再使用可能になっているのである。
【００２３】
勿論、この請求項１のシート押え具１０では、図５に示すように、当該シート押え具１０を正面から見た場合に、基部１１の端部に連続的に形成される各押え部１２または係止部１３の折曲角度γについて鈍角にしても、他の折曲角度が鋭角であれば、当該シート押え具１０の押圧力を十分なものにし得る。
【００２４】
従って、この請求項１のシート押え具１０は、コンクリート基礎４０等のコンクリート構造物に模様を賦すためのシート３０を、生コンクリートの侵入を防止しながら型枠２０に押え付けることができて、取り付けや取り外し作業も容易に行え、しかも構造が簡単で容易に製造することのできるものとなっているのである。
【００２５】
上記課題を解決するために、請求項２に係る発明の採った手段は、上記請求項１に記載のシート押え具１０について、
「全体を、剛性のある１本の長尺材を折曲することにより形成したこと」
である。
【００２６】
すなわち、この請求項２に係るシート押え具１０は、鋼鉄からなる棒材のように、剛性のある１本の長尺材を、基部１１と、この基部１１の一端からシート３０上に延在する押え部１２と、基部１１の他端から型枠２０の外面２２に延在する係止部１３とからなるように折曲することにより形成したものである。
【００２７】
これにより、この請求項２のシート押え具１０は、長尺材を、基部１１と、この基部１１の一端からシート３０上に延在する押え部１２と、基部１１の他端から型枠２０の外面２２に延在する係止部１３との合計長さとなるように切断してから、基部１１の一端にて押え部１２を折曲し、基部１１の他端にて係止部１３を折曲すれば、非常に簡単に製造することができる。勿論、これらの折曲は、係止部１３が押え部１２を超えながら斜めに延在し、この押え部１２が押え部１２から所定寸法離れているようにすることは言うまでもない。
【００２８】
従って、この請求項２のシート押え具１０は、上記請求項１のそれと同様な機能を発揮する他、その製造が非常に容易なものになっているのである。
【００２９】
そして、上記課題を解決するために、請求項３に係る発明の採った手段は、上記請求項１または２に記載のシート押え具１０について、
「押え部１２及び係止部１３の基部１１に対する各折曲角度α及びβを、９０度より小さくしたこと」
である。
【００３０】
この請求項３のシート長具１０においては、各基部１１の端部に連続的に形成される各押え部１２及び係止部１３について、図２の（ａ）に示した正面からみた場合の、押え部１２の基部１１に対する折曲角度α、及び係止部１３の基部１１に対する折曲角度βの両方を９０度より小さくしたものである。
【００３１】
このようにすると、各基部１１の端部と、これに形成される各押え部１２及び係止部１３について、その基部１１に対する連続部の剛性が高くなるから、これらの押え部１２または係止部１３の押圧力（弾発力）を十分なものとなる。特に、図２の（ａ）に示したように、折曲角度α、及び同βの両方共鋭角にすると、押え部１２及び係止部１３の押圧力がより高いものとなる。
【００３２】
なお、各基部１１の端部に連続的に形成される各押え部１２及び係止部１３については、その連続基部について直線状にすることによって、上記折曲角度α、及び同βを鋭角にし易い。
【００３３】
従って、この請求項３のシート押え具１０は、上記請求項１または２のそれと同様な機能を発揮する他、押え部１２または係止部１３の押圧力をより高めることができるものとなっているのである。
【発明の効果】
【００３４】
以上、説明した通り、本発明に係るシート押え具１０は、
「コンクリート基礎４０を形成するための型枠２０の内側に配置されるシート３０を、型枠２０に押圧するためのシート押え具１０であって、
型枠２０の上縁上に配置される基部１１と、この基部１１の一端に弾力的に連続してシート３０上に延在することになる押え部１２と、基部１１の他端に弾力的に連続して型枠２０の外面２２に延在することになる係止部１３とからなり、
当該シート押え具の不使用時において、係止部１３が、基部１１の長手方向に直交する方向からみて、押え部１２と交差するとともに、
当該シート押え具１０の、押え部１２を型枠２０に差し込む使用時において、押え部１２と係止部１３とが、型枠２０及びシート３０を挟み込み、かつ、型枠２０の外面からみて、互いに交差するようにしたこと」
にその構成上の主たる特徴があり、これにより、コンクリート基礎４０等のコンクリート構造物に模様を賦すためのシート３０を、生コンクリートの侵入を防止しながら型枠２０に押え付けることができて、取り付けや取り外し作業も容易に行え、しかも構造が簡単で容易に製造することのできるシート押え具１０を提供することができるのである。
【図面の簡単な説明】
【００３５】
【図１】本発明に係るシート押え具１０であって、施工後（図示左側）と、施工前（図示右側）との２種類の状態を示した斜視図である。
【図２】同シート押え具１０を示すもので、（ａ）は正面図、（ｂ）は側面図、（ｃ）は平面図である。
【図３】同シート押え具１０によって型枠２０に押圧されるべきシート３０の種類を例示するもので、（ａ）は賦形型のシート３０の断面図、（ｂ）は残存シート３０Ａの断面図である。
【図４】同シート押え具１０の他の実施例を示すもので、（ａ）は押え部１２の一部に波状部１２ａを形成したシート押え具１０の正面図、（ｂ）は押え部１２の先端部に曲げ部１４を形成したシート押え具１０の側面図、（ｃ）は係止部１３の先端部に曲げ部１４を形成したシート押え具１０の正面図である。
【図５】本発明のシート押え具１０の他の実施例を示す正面図である。
【図６】特許文献３に示された賦形シートを示すもので、（ａ）は正面図、（ｂ）は背面図、（ｃ）は平面図である。
【図７】同特許文献３に示された賦形シートを型枠に取り付けた状態を示すもので、（ａ）は型枠の外面図、（ｂ）は型枠の内面図である。
【図８】特許文献４に示された技術を示す部分斜視図である。
【図９】図８中の一部を拡大して示すもので、（ａ）は取り付け手段を示す部分斜視図、（ｂ）は同平面図である。
【図１０】図９に示した部分を別の方向から見たもので、（ａ）は内面図、（ｂ）は縦断面図である。
【発明を実施するための形態】
【００３６】
次に、上記のように構成した各請求項に係る発明を、図面に示した実施の形態であるシート押え具１０について説明するが、図１には２つ状態のシート押え具１０が示してある。この図１中の左側のシート押え具１０は、型枠２０の内面２１に当接させたシート３０を押圧しているものであり、また、図１中の右側のシート押え具１０は、型枠２０の内面２１に当接させたシート３０をこれから押圧しようとしているものである。
【００３７】
ここで、各シート押え具１０を説明する前に、型枠２０及びこれに当接されるシート３０について説明すると、まず、型枠２０は、一般的なものであって、例えばシート３０を取り付けるための穴や突起は全く形成されていないものである。換言すれば、本発明のシート押え具１０は、その押圧施工をするに当たって、所謂「打ち放し施工」する場合に使用される型枠２０をそのまま使用できるものであり、対象となる型枠２０として特に制限を必要とするものではない。
【００３８】
この一般的な型枠２０の内面２１に、シート押え具１０によって押圧されるべきシート３０としては、少なくとも２種類が考えられる。第１のシート３０は、図１や図３の（ａ）に示したような、コンクリート基礎４０に形成されるべき模様４１を「賦形」するものである。この第１のシート３０は、図１にも示したように、その模様面３１が型枠２０の内面２１側でコンクリート基礎４０側に向けて露出するように配置されるもので、この模様面３１側に生コンクリートが流れ込むことによって、図３の（ａ）に示したような模様４１をコンクリート基礎４０に形成するものである。
【００３９】
第２のシート３０は、図３の（ｂ）に示したような残存シート３０Ａである。この残存シート３０Ａは、コンクリート基礎４０の表面に一体化されるものであり、この残存シート３０Ａ自体が有している模様面３１が、コンクリート基礎４０の模様４１そのものになるものである。このため、このような残存シート３０Ａをシート押え具１０によって型枠２０側に押圧する場合には、その模様面３１が型枠２０の内面２１に当接した状態となるようにするものであり、上述した賦形タイプのシート３０とは、型枠２０に対する設置方向が全く逆になるものである。しかしながら、このような残存シート３０Ａであっても、シート押え具１０によって型枠２０側に押圧しなければならないことには変わりはない。
【００４０】
上記第１のシート３０も、第２の残存シート３０Ａも、本発明に係るシート押え具１０を使用すれば型枠２０に確実に押圧できることになるから、型枠２０に対する取り付けのための加工（例えば特許文献３のようなボルトを一体化すること）を全く施す必要がないし、非常に長尺なものを丸めて施工現場に運ぶことができるものとすることができ、これを施工現場で所定寸法に裁断して使用することもできるから、構造自体も簡単なものとすることができるのである。
【００４１】
さて、シート押え具１０であるが、本実施形態にあっては、鋼鉄からなる棒材（丸棒であっても角棒であっても構わない）を所定寸法に切断して、これを必要箇所で折曲することによって、図２に示したように、型枠２０の上縁上に配置される基部１１と、この基部１１の一端からシート３０上に延在する押え部１２と、基部１１の他端から型枠２０の外面２２に延在する係止部１３とからなるものとしたものである。なお、本実施形態のシート押え具１０は、直径が４ｍｍの丸棒を採用して形成した。
【００４２】
このシート押え具１０の基部１１は、図１の左側のそれにて示したように、型枠２０の上縁の幅より長い長さを有した直線状のものであり、施工後において、型枠２０の上縁上に載置されることになるものである。勿論、この基部１１は直線状にした方が上縁上に載置され易いが、必ずしもそのようにする必要は無く、例えば円弧状にしてもよい。この円弧状にした場合には、この基部１１に対する押え部１２及び係止部１３の弾力性を高めることができる。
【００４３】
基部１１の各端部には、押え部１２及び係止部１３がそれぞれ折曲されて一体的に連続させてあり、これにより、基部１１の各端部に対する弾力性が確保できるようにしてある。勿論、これら各押え部１２及び係止部１３自体も、上述した丸棒材によって構成されているものであるから、各部分自身が弾力性を有していることは言うまでもない。本実施形態の押え部１２は、図２に示したように、係止部１３よりも長くしてあるが、係止部１３より短くても良く、また基部１１に対して係止部１３とは反対側に折曲したものであってもよい。
【００４４】
各基部１１の端部に連続的に形成される各押え部１２及び係止部１３についても、その連続基部について直線状にするとともに、図２の（ａ）に示した正面からみた場合の、押え部１２の基部１１に対する折曲角度α、及び係止部１３の基部１１に対する折曲角度βの両方共に、９０度より小さくすると、押え部１２または係止部１３の押圧力を十分なものにし得る。特に、図２の（ａ）に示したように、折曲角度α、及び同βの両方共鋭角にすると、押え部１２及び係止部１３の押圧力をより高めることができる。
【００４５】
勿論、図５に示したように、当該シート押え具１０を正面から見た場合に、基部１１の端部に連続的に形成される各押え部１２または係止部１３の折曲角度γについて鈍角にしても、他の折曲角度が鋭角であれば、当該シート押え具１０の押圧力を十分なものにし得る。
【００４６】
各押え部１２については、図２の（ａ）に示したように直線状に形成してもよいが、図４の（ａ）に示したように、シート３０を押圧し得る部分に波状部１２ａを形成して実施してもよい。この波状部１２ａは、当該押え部１２自身が弾力性を有していることもあって、当該シート押え具１０を施工した場合に、シート３０に対する押圧点（波の谷または山）を複数形成することになり、シート３０の型枠２０に対する押圧を複数個所で行うことになって、シート３０の押えを十分なものにすることができる。
【００４７】
また、図４の（ｂ）または（ｃ）にて示したように、押え部１２または係止部１３の先端部に曲げ部１４を積極的に形成しておくと、当該シート押え具１０の差し込み時あるいは引き抜き時に、この曲げ部１４の「腹部」がシート３０の模様面３１に当たることになって、シート３０の模様面３１に傷を付けることが無くなる。
【符号の説明】
【００４８】
１０    シート押え具
１１    基部
１２    押え部
１２ａ  波状部
１３    係止部
１４    曲げ部
２０    型枠
２１    内面
２２    外面
３０    シート
３０Ａ  残存シート
３１    模様面
４０    コンクリート基礎
４１    模様
【図１】
0005770548.tif 000002
【図２】
0005770548.tif 000003
【図３】
0005770548.tif 000004
【図４】
0005770548.tif 000005
【図５】
0005770548.tif 000006
【図６】
0005770548.tif 000007
【図７】
0005770548.tif 000008
【図８】
0005770548.tif 000009
【図９】
0005770548.tif 000010
【図１０】
0005770548.tif 000011